(57)【要約】【課題】硬貨処理装置において、入金処理の作業効率を向上させる。【解決手段】硬貨処理装置は、硬貨を投入するための投入部１２０と、硬貨を金種別に収納する金種別収納部１５２と、ロック機構を有し、ロック状態のときは硬貨処理装置から外せず内容物を取り出し不可である一方、ロック解除状態のときは硬貨処理装置から外して内容物を取り出し可能であるロック付収納部１５０とを備える。入金処理として、投入部１２０に投入された硬貨をその金種に応じて金種別収納部１４０に収納する第１入金処理と、投入部１２０に投入された硬貨をロック付収納部１５０に収納する第２入金処理とを実行可能である。【選択図】図８
2018055214.tif 000002
【特許請求の範囲】
【請求項１】
硬貨処理装置であって、
硬貨が投入される投入部と、
硬貨を金種別に収納する金種別収納部と、
ロック機構を有し、ロック状態のときは、前記硬貨処理装置から外せず内容物を取り出し不可である一方、ロック解除状態のときは、前記硬貨処理装置から外して内容物を取り出し可能であるロック付収納部と、
前記硬貨処理装置の動作を制御し、硬貨の入金処理を実行する制御部とを備え、
前記制御部は、
入金処理として、前記投入部に投入された硬貨をその金種に応じて前記金種別収納部に収納する第１入金処理と、前記投入部に投入された硬貨を前記ロック付収納部に収納する第２入金処理とを、実行可能である
ことを特徴とする硬貨処理装置。
【請求項２】
請求項１記載の硬貨処理装置において、
前記制御部は、前記第１入金処理を実行中において前記金種別収納部内の硬貨量が所定量に達すると、前記第１入金処理を停止し、操作者の操作に従って、前記第２入金処理を実行する
ことを特徴とする硬貨処理装置。
【請求項３】
請求項１または２記載の硬貨処理装置において、
前記制御部は、前記第２入金処理によって収納した硬貨が前記ロック付収納部内にあるとき、前記ロック付収納部をロック状態にする
ことを特徴とする硬貨処理装置。
【請求項４】
請求項１〜３のうちいずれか１項記載の硬貨処理装置において、
前記制御部は、所定の権限を有する者の操作によってのみ、前記ロック付収納部のロック状態を解除する
ことを特徴とする硬貨処理装置。
【請求項５】
請求項１〜４のうちいずれか１項記載の硬貨処理装置において、
前記制御部は、前記第２入金処理によって収納した硬貨が前記ロック付収納部内にあるとき、新たな入金処理を実行しない
ことを特徴とする硬貨処理装置。
【請求項６】
請求項１〜５のうちいずれか１項の硬貨処理装置において、
前記制御部は、前記第２入金処理によって収納した硬貨が前記ロック付収納部内にあるとき、前記ロック付収納部から硬貨を回収するよう、前記硬貨処理装置の外部に報知する
ことを特徴とする硬貨処理装置。
【請求項７】
請求項１〜６のうちいずれか１項記載の硬貨処理装置において、
前記ロック付収納部は、硬貨を返却するための返却箱である
ことを特徴とする硬貨処理装置。
【請求項８】
請求項１〜７のうちいずれか１項記載の硬貨処理装置において、
前記入金処理は、硬貨を両替する両替処理を含む
ことを特徴とする硬貨処理装置。
【請求項９】
請求項１〜８のうちいずれか１項記載の硬貨処理装置と、
前記硬貨処理装置と通信可能であり、少なくとも入金処理の操作を含む、前記硬貨処理装置の操作を実行可能である操作端末とを備えた
硬貨処理システム。
【発明の詳細な説明】
【技術分野】
【０００１】
ここに開示する技術は、硬貨の入金処理等を行う硬貨処理装置および硬貨処理システムに関する。
【背景技術】
【０００２】
従来、金融機関等で使用される現金出納機として、硬貨およびこの硬貨を所定枚数重積して包装した包装硬貨である棒金を処理する硬貨処理装置がある。
【０００３】
特許文献１では、このような硬貨処理装置の構成例が開示されている。この構成では、入金処理時において、投入部に硬貨が投入されると、硬貨は１枚ずつ繰り出され、識別された後、一時保留部に金種別に一時保留される。一時保留された硬貨は、操作者に承認されると、収納操出部に収納される。また、一時保留部の容量を超えて入金する場合は、保留された硬貨を収納操出部に収納した後、後続の硬貨を一時保留する。
【先行技術文献】
【特許文献】
【０００４】
【特許文献１】特許第５５５１８６３号公報
【発明の概要】
【発明が解決しようとする課題】
【０００５】
特許文献１の硬貨処理装置では、入金処理中に収納操出部がフル状態になると、処理が停止され、「割込み回収」や「取消処理」が要求される。割込み回収では、収納操出部から硬貨を繰り出して包装し、包装硬貨として保管する。これにより収納操出部に空きができるので、入金処理を再開する。取消処理では、入金処理を中断し、投入部から一時保留部までの間にある硬貨を返却する。なお、すでに収納操出部に収納された硬貨がある場合には、そのデータを記憶しておく。収納操出部に空きができてから追加入金するときには、中断時のデータが用いられる。
【０００６】
ところが、割込み回収を行う場合は、包装硬貨の生成には相当の時間を必要とするため、入金処理を行う操作者は、割込み回収が実行されている間、待つ必要がある。このことは、入金処理の作業効率を低下させる要因になる。また、取消処理を行う場合は、操作者は返却された硬貨の取り扱いに困ることになる。すなわち、入金処理以外の処理を行えない上、硬貨を紛失するおそれもある。また、操作者にとっては、追加入金できるタイミングがわかりにくい。
【０００７】
ここに開示する技術は、かかる点に鑑みてなされたものであり、硬貨処理装置において、入金処理の中断を回避できるようにし、入金処理の作業効率を向上させることを目的とする。
【課題を解決するための手段】
【０００８】
ここに開示する技術は、硬貨処理装置であって、硬貨が投入される投入部と、硬貨を金種別に収納する金種別収納部と、ロック機構を有し、ロック状態のときは、前記硬貨処理装置から外せず内容物を取り出し不可である一方、ロック解除状態のときは、前記硬貨処理装置から外して内容物を取り出し可能であるロック付収納部と、前記硬貨処理装置の動作を制御し、硬貨の入金処理を実行する制御部とを備え、前記制御部は、入金処理として、前記投入部に投入された硬貨をその金種に応じて前記金種別収納部に収納する第１入金処理と、前記投入部に投入された硬貨を前記ロック付収納部に収納する第２入金処理とを、実行可能である。
【０００９】
この構成によると、硬貨処理装置は、入金処理として、投入部に投入された硬貨をその金種に応じて金種別収納部に収納する第１入金処理とは別に、投入部に投入された硬貨を、ロック付収納部に収納する第２入金処理を実行することができる。このため、入金処理の実行の際に、例えば金種別収納部がフル状態になった場合やフル状態になりそうな場合等において、ロック付収納部を利用する第２入金処理を実行することによって、当該入金処理を完了させることができる。これにより、入金処理の中断を回避することができ、また、入金処理の中断により硬貨を返却する必要もない。したがって、入金処理の作業効率を向上させることができる。
【００１０】
また、前記制御部は、前記第１入金処理を実行中において前記金種別収納部内の硬貨量が所定量に達すると、前記第１入金処理を停止し、操作者の操作に従って、前記第２入金処理を実行する、としてもよい。
【００１１】
これにより、第１入金処理において金種別収納部内の硬貨量が所定量に達して処理が停止したとき、操作者は、硬貨処理装置に、これに続けて、ロック付収納部を利用する第２入金処理を実行させることができる。
【００１２】
また、前記制御部は、前記第２入金処理によって収納した硬貨が前記ロック付収納部内にあるとき、前記ロック付収納部をロック状態にする、としてもよい。
【００１３】
これにより、第２入金処理によって硬貨がロック付収納部に収納された後は、ロック付き収納部がロック状態になり、当該硬貨は外部に取り出せなくなる。
【００１４】
また、前記制御部は、所定の権限を有する者の操作によってのみ、前記ロック付収納部のロック状態を解除する、としてもよい。
【００１５】
これにより、第２入金処理によって硬貨がロック付収納部に収納された後は、ロック付収納部のロックは、所定の権限を有する者の操作によってのみ、解除することができる。
【００１６】
また、前記制御部は、前記第２入金処理によって収納した硬貨が前記ロック付収納部内にあるとき、新たな入金処理を実行しない、としてもよい。
【００１７】
これにより、第２入金処理によって硬貨がロック付収納部に収納された後、その硬貨が回収されるまで、新たな入金処理が行われない。
【００１８】
また、前記制御部は、前記第２入金処理によって収納した硬貨が前記ロック付収納部内にあるとき、前記ロック付収納部から硬貨を回収するよう、前記硬貨処理装置の外部に報知する、としてもよい。
【００１９】
これにより、第２入金処理によって硬貨がロック付収納部に収納された後、その硬貨を回収するよう、硬貨処理装置の外部に報知される。
【００２０】
そして、前記ロック付収納部は、硬貨を返却するための返却箱である、としてもよい。
【００２１】
これにより、金種別収納部の代わりに返却箱を利用して、入金処理を実行することができる。
【００２２】
また、前記入金処理は、硬貨を両替する両替処理を含む、としてもよい。
【００２３】
また、ここに開示する技術は、硬貨処理システムとして、上述した硬貨処理装置と、前記硬貨処理装置と通信可能であり、少なくとも入金処理の操作を含む、前記硬貨処理装置の操作を実行可能である操作端末とを備えたものである。
【発明の効果】
【００２４】
本開示によると、硬貨処理装置において、例えば金種別収納部がフル状態になった場合やフル状態になりそうな場合等であっても、入金処理の中断を回避できるので、入金処理の作業効率を向上させることができる。
【図面の簡単な説明】
【００２５】
【図１】硬貨処理装置の一例の外観図
【図２】硬貨処理装置の内部構造を示す正面図
【図３】硬貨処理装置の内部構造を示す左側面図
【図４】硬貨処理装置の内部構造を示す右側面図
【図５】硬貨処理装置の硬貨受入処理部の構成を示す平面図
【図６】硬貨処理装置の機能構成を示すブロック図
【図７】通常の入金処理時の動作を示すイメージ図
【図８】返却箱を利用する入金処理時の動作を示すイメージ図
【図９】入金処理の動作例を示すフローチャート
【図１０】（ａ），（ｂ）は入金処理時における画面例
【発明を実施するための形態】
【００２６】
以下、実施形態について、図面に基づいて詳細に説明する。ただし、以下の説明は、例示である。ここに開示する硬貨処理装置は、銀行等の金融機関に設置されるものとしているが、金融機関に設置する以外の用途にも用いることが可能である。
【００２７】
（硬貨処理装置の構成）
図１は硬貨処理装置の一例の外観図である。図１に示す硬貨処理装置１１０は、機体１１２を有し、機体１１２の上部左側に、硬貨を投入するための入金口１２１が配置されている。機体１１２の前面左側に、リジェクト硬貨を返却するための入金リジェクト口１３８、硬貨を返却するための返却箱１５０、バラ一括箱１９８、出金箱１９０、袋取り口１７４ａ、硬貨を回収するための回収部１５６、および、返却箱１９７が配置されている。返却箱１５０は、機体１１２の奥行き方向に長く、機体１１２の前面から着脱可能に構成されている。また、返却箱１５０は、ロック機構１５０ａを有しており、ロック状態のときは硬貨処理装置１１０から外せず内容物を取り出し不可である一方、ロック解除状態のときは硬貨処理装置１１０から外して内容物を取り出し可能である。このロック機構１５０ａは、通常はロック状態にあり、内部の硬貨を取り出す必要がある場合にロック解除状態となる。返却箱１５０は、本開示におけるロック付き収納部の一例である。出金箱１９０および回収部１５６は、機体１１２の前面から着脱可能に構成されている。機体１１２の前面右側に、棒金を出金する棒金出金口２３０、棒金を一括収納する棒金一括収納部２３２、棒金を機外に投出する棒金投出口２３６が配置されている。棒金一括収納部２３２は機体１１２に着脱可能である。また、機体１１２の上部に、タッチパネルである操作表示部３０２と、プリンタ３０４とが配置されている。硬貨処理装置１１０は、ネットワークを介して管理コンピュータ１０と接続されている。管理コンピュータ１０は、タブレットやスマートフォン等の端末装置１１，１２と通信可能である。硬貨処理装置１１０、管理コンピュータ１０、および、端末装置１１，１２等によって、硬貨処理システム１００が構成されている。
【００２８】
図２〜図４は硬貨処理装置１１０の内部構造を示す図であり、図２は正面図、図３は左側面図、図４は右側面図である。
【００２９】
図２〜図４に示すように、硬貨処理装置１１０は、機体１１２内には、前面（図２）から見て、上部左側に機体１１２外から硬貨を受け入れて識別および分類する硬貨受入処理部１２０が配置され、この硬貨受入処理部１２０の下に、硬貨受入処理部１２０で金種別に分類された硬貨を一時保留する一時保留部１４０が配置される。一時保留部１４０の下に、一時保留部１４０からの硬貨を収納したり繰り出したりする収納繰出部１５２と、一時保留部１４０からの硬貨を返却する返却箱１５０とが配置される。収納繰出部１５２および返却箱１５０の下に、所定枚数重積した硬貨を包装して包装硬貨である棒金を形成する包装部１６０が配置され、包装部１６０の上部右側に、棒金を収納したり送り出したりする棒金収納送出部２００が配置され、これら包装部１６０および棒金収納送出部２００の前側に棒金を搬送する棒金搬送部２１０が配置されている。
【００３０】
硬貨受入処理部１２０は、機体１１２の上面に形成された投入口１２１から投入されるばら状態の硬貨を受け入れる供給円盤１２２、この供給円盤１２２から適量ずつ硬貨が供給される回転円盤１２４、およびこの回転円盤１２４から１枚ずつ繰り出す硬貨を搬送する硬貨通路１２８を備えている。硬貨受入処理部１２０は、本開示における投入部の一例である。
【００３１】
図５は硬貨受入処理部１２０の構成を示す平面図である。図５に示すように、硬貨通路１２８は、回転円盤１２４から機体１１２の幅方向に沿って延設された通路部を含む入金識別部１２９、およびこの入金識別部１２９から機体１１２の奥行き方向へ向けて延設された通路部を含む選別部１３４を有し、通路上には硬貨を搬送する搬送ベルト（図示せず）が配置されている。入金識別部１２９には、搬送する硬貨の金種、真偽、正損等を識別する識別部１２９ａが配置されている。選別部１３４には、上流側から下流側にかけて、任意選別部１３４ａおよびメカ選別部１３４ｂが順に配置されている。任意選別部１３４ａは、ソレノイド等の電気的駆動手段により強制的に硬貨を分岐孔に落とし込むものであり、リジェクト硬貨、任意硬貨、および５円硬貨を選別する。メカ選別部１３４ｂは、小径硬貨から大径硬貨の順に径選別して該当する分岐孔に落とし込むものであり、１円硬貨、５０円硬貨、１００円硬貨、１０円硬貨および５００円硬貨を選別する。
【００３２】
図３に示すように、選別部１３４におけるリジェクト硬貨選別部分の下に、リジェクト硬貨を返却口１３８に導く返却シュート１３１が配置されている。選別部１３４における任意硬貨選別部分の下に、シュート１４２が配置され、このシュート１４２の下に、袋取り用シュート１７４とダイレクト包装用シュート１７６が配置されている。切換板１７８は、シュート１４２からの硬貨を袋取り用シュート１７４またはダイレクト包装用シュート１７６のいずれか一方に選択的に導く。袋取り用シュート１７４は、機体１１２の前面に配置される袋取り口１７４ａに装着される袋１７５に硬貨を導いて収納させる。
【００３３】
また、一時保留部１４０は、機体１１２の奥行き方向に沿って金種別に並んで配置され、選別部１３４において金種別に分岐される硬貨を受け入れて金種別に一時保留可能とする。一時保留部１４０は、金種別の保留筒１４４（１４４ａ〜１４４ｆ）、およびこの保留筒１４４の底面を一括して開閉する底部材１４６を有している。これら保留筒１４０および底部材１４６が、それぞれ移動機構１４５，１４７によって機体１１２の幅方向に独立して移動可能に構成されている。
【００３４】
図２に示すように、一時保留部１４０は、保留筒１４４が選別部１３４の金種別の硬貨選別部分の下方に位置するとともに保留筒１４４の底面を底部材１４６が閉塞した状態で、硬貨を一時保留可能となる。一時保留した硬貨を収納する場合には、保留筒１４４のみが左方向の収納繰出部１５２の上方に移動し、保留筒１４４の底面を開放して保留筒１４４内の硬貨を収納繰出部１５２へ放出する。一方、一時保留した硬貨を返却する場合には、底部材１４６のみが返却箱１５０の上方から左方向に移動し、保留筒１４４の底面を開放して保留筒１４４内の硬貨を返却箱１５０に放出する。
【００３５】
また、図３に示すように、収納繰出部１５２は、機体１１２の奥行き方向に金種別に並んで配置されており、一時保留部１４０から放出される硬貨を受け入れて収納する金種別の硬貨収納部１５２ａ〜１５２ｆ、および硬貨収納部１５２の下部から硬貨を１枚ずつ繰り出す硬貨繰出部１５２ｐを有している。硬貨繰出部１５２ｐでは、例えば、硬貨が１枚ずつ入り込む複数の繰出孔を有する繰出用回転円盤を用い、この繰出用回転円盤の回転により、繰出孔に入り込んだ硬貨を１枚ずつ、繰出用回転円盤の周辺部から側方へ繰り出すように構成されている。収納操出部１５２は、本開示における金種別収納部の一例である。
【００３６】
収納繰出部１５２の側部には、収納繰出部１５２の下部から繰り出される硬貨を受け入れるコンベヤ１５４が、機体１１２の奥行き方向に沿って配置されている。このコンベヤ１５４の中央域には、コンベヤ上から硬貨を払い出す払出機構（図示せず）が配置され、コンベヤ１５４の前端側には硬貨を１層１列状態にする逆転ローラ（図示せず）および１層１列状態となった硬貨を識別する出金識別部１５５が配置されている。そして、硬貨の包装時には、硬貨をコンベヤ１５４によって中央域に搬送し、払出機構によってコンベヤ１５４上から硬貨を払い出し、払い出した硬貨をシュート１５７で包装部１６０へ送り込む。また、硬貨の出金時または回収時には、コンベヤ１５４上に受け入れた硬貨を前方へ搬送し、出金識別部１５５による識別後に、シュート１５８で出金箱１９０に送り込む（図２を参照）。
【００３７】
また、包装部１６０には、シュート１５７またはダイレクト包装用シュート１７６で導かれる硬貨を受け入れる包装用回転円盤１６２、およびこの包装用回転円盤１６２の回転によって１枚ずつ繰り出される硬貨を受け入れて搬送する包装用硬貨通路１６３が配設されている。包装用硬貨通路１６３には、硬貨を搬送する搬送ベルトが配置されており、また、硬貨の枚数を検知したり硬貨の通過を検知するセンサや、センサの検知に基づいて搬送する硬貨を停止させるストッパ等が配設されている。包装用硬貨通路１６３は、通路幅が金種設定によって調整され、包装金種より径が大きい硬貨が進入するのを規制し、包装金種より径が小さい硬貨を包装用硬貨通路１６３の通路面に設けられた排除口（図示せず）から排除する。排除口から排除した硬貨はシュート１６４を通じて回収部１５６に回収する。
【００３８】
包装用硬貨通路１６３の下流域には、包装用硬貨通路１６３から送り込まれる硬貨を下部側から上方へ順次重積していって所定枚数の硬貨を重積する重積部１６８が配設されている（図４を参照）。重積部１６８では、通路底板から上方に突出する支持ロッド（図示せず）によって、所定枚数重積した重積硬貨を所定の包装位置まで押し上げ、３本の包装ローラ１６８ａによって重積硬貨の周面を挟持して回転させ、重積硬貨の周面に包装紙を巻き込む。この包装紙を重積硬貨の周囲に巻き付けるとともに包装紙の端部を重積硬貨の端面にかしめ、棒金Ｗを形成する。したがって、包装部１６０は、硬貨を重積する重積位置と、重積硬貨を包装する包装位置とが同一位置に配置されている。通路底板、重積ローラおよび支持ロッド等は、重積部１６８の下方位置から退避し、形成した棒金Ｗを下方へ放出可能としている。
【００３９】
重積部１６８の下方には、包装部１６０から長手方向（重積方向）が上下方向に向く状態で放出される棒金Ｗを受け入れてその長手方向が機体１１２の前面に平行でかつ水平となる状態に変換しつつ前方へ向けて転がるように導く棒金シュート１６５が配設されている。この棒金シュート１６５の先端側には、横搬送部１６７が配置されている。切換部材１６９は、横搬送部１６７から前方の棒金搬送部２１０への棒金Ｗの放出と放出規制とを切り換える。横搬送部１６７は、機体１１２の側部に別の棒金収納装置を設置する場合に、その棒金収納装置との間で棒金Ｗを搬送するのに用いられる。
【００４０】
また、棒金収納送出部２００には、棒金Ｗを金種別に収納する複数の棒金トレイ２４０が、前方へ下降傾斜した状態で、上下方向に複数段配置されている。この棒金トレイ２４０は、機体１１２の奥行き方向に長く、棒金Ｗの長手方向が機体１１２の前面に平行でかつ水平となる状態で、複数の棒金Ｗを機体１１２の奥行き方向に並べて収納するとともに、棒金トレイ２４０の傾斜によって収納した棒金Ｗを前方に寄せて整列状態に収納する。各棒金トレイ２４０は、それぞれ棒金トレイ駆動手段（図示せず）により、棒金トレイ２４０の前端部が棒金搬送部２１０に前進する前進位置とこの前進位置から後方へ後退した後退位置との間で、傾斜方向に沿って移動可能としている。
【００４１】
複数の棒金トレイ２４０の前部域で棒金搬送部２１０との間には、各棒金トレイ２４０に対応して複数のストッパ部２０４ａを設けたストッパ２０４が上下方向に移動可能に配置されている。このストッパ２０４は、下降位置において、前進位置の棒金トレイ２４０の最前部の棒金Ｗにストッパ部２０４ａが接触し、上昇位置において、前進位置の棒金トレイ２４０の棒金Ｗにストッパ部２０４ａが接触しない。
【００４２】
また、棒金搬送部２１０は、長手方向が機体１１２の前面に平行でかつ水平となる状態で棒金Ｗを搬送する棒金搬送ベルト２１４を有し、この棒金搬送ベルト２１４が上下のローラ２１２にわたって上下方向に回動可能に張設されている。この棒金搬送ベルト２１４の周面には、棒金Ｗを支持して搬送する複数の棒金支持部２１６が突設されている。
【００４３】
棒金トレイ２４０への棒金Ｗの収納時には、包装部１６０で包装されて前方へ放出される棒金Ｗを棒金搬送ベルト２１４の棒金支持部２１６に支持して上方へ搬送し、その棒金Ｗを収納する棒金トレイ２４０の位置より上方に一旦通過させる。その後、棒金Ｗを収納する金種の棒金トレイ２４０を前進させ、下降位置にあるストッパ２０４のストッパ部２０４ａによって、棒金トレイ２４０の最前部の棒金Ｗを押さえてスペースを形成した後、棒金搬送ベルト２１４で棒金Ｗを下降させてそのスペースに受け渡し、棒金トレイ２４０を後退させる。
【００４４】
棒金トレイ２４０からの棒金Ｗの送出時には、棒金トレイ２４０の棒金Ｗに対してストッパ２０４のストッパ部２０４ａが接触しないように上方位置へ退避させた状態で、棒金トレイ２４０を前進させ、棒金トレイ２４０の最前部の棒金Ｗを棒金搬送ベルト２１４の棒金支持部２１６ですくい上げ、棒金トレイ２４０を後退させる。
【００４５】
また、棒金搬送ベルト２１４の前側には、棒金出金口２３０、棒金一括収納部２３２および棒金投出口２３６が配置され、各位置に対応して、棒金Ｗを選択的に送り込むための切換板２１８，２１９，２２０がそれぞれ配置されている。
【００４６】
また、出金箱１９０は、機体１１２の前面から着脱可能に配置され、底板１９２が開閉可能に構成されている（図２および図３を参照）。出金箱１９０の装着位置の下には、出金箱１９０の底板１９２の開放によって放出される硬貨を回収部１５６に導く回収シュート１９４が配設されている。回収部１５６には返却箱１９７が並設され、切換板１９６は、収納繰出部１５２の硬貨の包装時に包装部１６０からシュート１６４を通じて排除された硬貨は回収部１５６に回収され、ダイレクト包装時に包装部１６０からシュート１６４を通じて排除された硬貨は返却箱１９７に収納されるよう、動作する。
【００４７】
図６は硬貨処理装置１１０の機能構成を示すブロック図である。図６では、本開示における主要な機能に関する構成を示している。制御部３００は、入金操出部１２０、入金識別部１２９、選別部１３４、入金一時保留部１４０、収納操出部１５２等の動作を制御して、入金処理を実行可能である。また制御部３００は、返却箱１５０のロック機構１５０ａを制御する。例えば制御部３００は、管理者など所定の権限を有する者の操作によってのみ、返却箱１５０のロック機構１５０ａを解除する。権限の認証は、カードリーダーを介したＩＤ認証に基づいて行えばよい。カードリーダーは、例えば操作表示部３０２近傍に配置される。また後述するように、制御部３００は、返却箱１５０を利用した入金処理を実行可能である。また制御部３００は、入金処理以外にも、硬貨の出金処理、硬貨を包装する包装処理等を実行可能である。記憶部３０６は、各制御に必要となる設定値や管理されているデータ等を格納している。制御部８０は、通信インターフェース部３０８を介して、管理コンピュータ１０と接続されている。
【００４８】
（動作例）
本実施形態に係る硬貨処理装置１１０について、入金処理における動作とそのときの硬貨の流れについて説明する。ここで、返却箱１５０は、一時保留部１４０に保留された硬貨を全て収納可能な容量を有しているものとする。例えば、一時保留部１４０の容量は、一括一時保留部は１００枚、５００円用一時保留部は１５０枚、他５金種の一時保留部はそれぞれ３００枚であり、返却箱１５０の容量は１７５０枚である。
【００４９】
図７は通常の入金処理における硬貨の流れを示すイメージ図である。なお図７および図８において、硬貨の流れは太線および灰色によって示されている。図７の左図に示すように、入金口１２１に投入された硬貨は、硬貨受入処理部１２０によって識別され分類される。すなわち、入金識別部１２９において、硬貨の金種、真偽、正損等が識別され、選別部１３４において、硬貨が選別される。選別された硬貨は、一時保留部１４０に一時的に保留される。その後、承認指示を受け付けると、図７の右図に示すように、硬貨は一時保留部１４０から放出されて収納操出部１５２に収納される。図７に示す入金処理は、本開示における第１入金処理の一例である。
【００５０】
図８は他の入金処理における硬貨の流れを示すイメージ図である。ここでは、返却箱１５０を利用して入金処理を行うものとする。図８の左図に示すように、入金口１２１に投入された硬貨は、硬貨受入処理部１２０によって識別され分類される。すなわち、入金識別部１２９において、硬貨の金種、真偽、正損等が識別され、選別部１３４において、硬貨が選別される。選別された硬貨は、一時保留部１４０に一時的に保留される。ここまでは通常の入金処理と同様である。
【００５１】
ここで、収納操出部１５２がフル状態であり、一時保留されている硬貨の収納ができないものとする。この場合には、図８の右図に示すように、一時保留部１４０に一時的に保留された硬貨を返却箱１５０に送り収納する。返却箱１５０は、一時保留部１４０に保留された硬貨を全て収納可能な容量を有している。このような動作により、収納操出部１５２がフル状態であっても、入金処理を完了させることができる。この後、制御部３００は返却箱１５０をロック状態に維持して、返却箱１５０内の硬貨に外部からアクセスできないようにする。さらに、この状態では、新たな入金処理（すなわち、返却箱１５０を用いる必要が生じる可能性がある処理）を実行しないように制御する。例えば、メニュー画面において「入金処理」ボタンがグレイアウト状態となる。その後、管理者の操作により返却箱１５０のロック状態が解除されて、返却箱１５０内の硬貨が回収されて、返却箱１５０が再度装着されると、制御部３００は入金処理を実行可能とする。また、収納操出部１５２の硬貨を繰り出して包装硬貨を作成して棒金トレイ２４０等に収納する回収処理を実行することによって、収納操出部１５２のフル状態は解消される。図８に示す入金処理は、本開示における第２入金処理の一例である。
【００５２】
図９は入金処理を実行する際の動作例を示すフローチャートである。まず、操作者が操作表示部３０２を介して入金処理を選択すると、制御部３００は入金処理を開始する（Ｓ１０１）。入金口１２１から硬貨が投入され、入金処理が問題なく終了すると（Ｓ１０２でＹＥＳ）、プリンタ３０４からレシートが出力され（Ｓ１０３）、処理を終了する。一方、入金処理の途中で収納操出部１５２がフル状態になったとき（Ｓ１０４でＹＥＳ）、制御部３００は入金処理を一時停止する（Ｓ１０５）。なお、収納操出部１５２がいわゆるニヤフル状態になったときに、入金処理を一時停止するようにしてもよい。あるいは、収納操出部１５２内の硬貨量に対して、入金処理を停止する判断のための専用の閾値を設けてもよい。すなわち、収納操出部１５２内の硬貨量が所定量に達すると、入金処理を一時停止する。
【００５３】
このとき、制御部３００は例えば図１０（ａ）のような画面を操作表示部３０２に表示し、操作者に以降の処理の選択を促す。図１０（ａ）の画面例では、収納操出部１５２がフル状態であることを示すメッセージＭ１と、収納操出部１５２の状態を示すデータＤ１と、以降の処理を選択するための選択ボタンＢＴ１，ＢＴ２，ＢＴ３とが表示されている。操作者は、収納操出部１５２の回収処理を割り込みで実行するか（［割込回収］、選択ボタンＢＴ１）、入金処理を取りやめるか（［入金取止］、選択ボタンＢＴ３）、図８に示すような返却箱１５０を利用した入金処理を続行するか（［返却箱収納］、選択ボタンＢＴ２）、のいずれかを選択する（Ｓ１０６）。
【００５４】
［割込回収］が選択された場合は、制御部３００は、収納操出部１５２の硬貨を繰り出して包装硬貨を作成する回収処理を実行する（Ｓ１１１）。収納操出部１５２から硬貨を繰り出して包装し、包装硬貨として保管することによって、収納操出部１５２に空きを作ることができる。ただし、この回収処理には時間がかかるので、操作者は回収処理の完了を待つ必要がある。回収処理によって収納操出部１５２に空きができると（Ｓ１１２でＹＥＳ）、制御部３００は入金処理を再開する（Ｓ１１３，Ｓ１１４）。再開した入金処理が問題なく終了すると（Ｓ１１５でＹＥＳ）、プリンタ３０４からレシートが出力され（Ｓ１１６）、処理を終了する。
【００５５】
［入金取止］が選択された場合は、制御部３００は、収納操出部１５２に収納済みの硬貨があるときは（Ｓ１２１でＹＥＳ）、収納済みの硬貨に関するデータを中断データとして保存する（Ｓ１２２）。そして、残りの硬貨を返却する（Ｓ１２３）。その後、制御部３００は、入金処理は実行不可である縮退運用へ移行する（Ｓ１２４）。縮退運用では、例えば、硬貨の入金処理や両替処理は受付不可とし、硬貨の出金処理は受付可能とする。この後、回収処理等によって収納操出部１５２に空きができたタイミングで、操作者は追加入金を行う。このとき、Ｓ１２２で保存された中断データが用いられる。
【００５６】
［返却箱収納］が選択された場合は、制御部３００は、図８に示すような返却箱１５０を利用した入金処理を実行する（Ｓ１３１）。この入金処理が終了すると（Ｓ１３２でＹＥＳ）、プリンタ３０４からレシートが出力される。そして、制御部３００は、返却箱１５０の硬貨を回収するよう硬貨処理装置１１０の外部に報知する一例として、例えば図１０（ｂ）のような画面を操作表示部３０２に表示する。このとき操作者は、管理者に返却箱１５０内の硬貨の回収を依頼して、自分はその場から離れることができる。その後、制御部３００は、入金処理は実行不可である縮退運用へ移行し（Ｓ１３５）、所定のタイミングで、収納操出部１５２の硬貨を繰り出して包装硬貨を作成する回収処理を行う（Ｓ１３６）。これにより、収納操出部１５２のフル状態は解消される。
【００５７】
なお、返却箱１５０の硬貨を回収するよう硬貨処理装置１１０の外部に報知する方法としては、操作表示部３０２の画面に表示する以外にも、例えば、予め設定された連絡先、例えば管理者が携帯するタブレットやスマートフォン等の端末装置１１，１２に、返却箱１５０の硬貨の回収を要求するメッセージを送信してもよい。または、硬貨処理装置１１０の上部に警告灯を設けて点滅させたり、返却箱１５０の近傍に表示ランプを設けて点滅させるようにしてもよい。
【００５８】
なお、上述したとおり、制御部３００は、管理者など所定の権限を有する者の操作によってのみ、返却箱１５０のロック機構１５０ａを解除するので、返却箱１５０からの硬貨の回収は、所定の権限がある者しか実行できない。権限がある者が、硬貨処理装置１１０に設けられたカードリーダー等を介してＩＤ認証を行うと、制御部３００が返却箱１５０のロックを解除し、返却箱１５０を抜き取ることができる。返却箱１５０が硬貨処理装置１１０に再度装着された後、返却箱１５０内に硬貨が残っていないことを条件として、硬貨処理装置１１０は待機状態に戻る。また、返却箱１５０から取り出された硬貨は、例えば、金庫や現金バスに収納される。その在高は、機内（返却箱）から管理者の手持ちへ移行される。
【００５９】
以上のように本実施形態によると、硬貨処理装置１１０は、入金処理として、投入された硬貨をその金種に応じて収納操出部１５２に収納する第１入金処理とは別に、投入された硬貨を、返却箱１５０に収納する第２入金処理を実行することができる。このため、入金処理の実行の際に、例えば収納操出部１５２がフル状態になった場合やフル状態になりそうな場合等において、返却箱１５０を利用する第２入金処理を実行することによって、当該入金処理を完了させることができる。これにより、入金処理の中断を回避することができ、また、入金処理の中断により硬貨を返却する必要もない。したがって、入金処理の作業効率を向上させることができる。また、専用の大型の収納部を追加する必要もなく、コストやスペースの面でも有効である。
【００６０】
（他の実施形態）
上の実施形態では、返却箱１５０を利用する入金処理は、収納操出部１５２がフル状態である場合に実行されるものとした。これ以外にも例えば、通常の入金処理を実行する際に（いずれの収納操出部１５２もフル状態になっていない場合）、例えば操作表示部３０２を介して、返却箱１５０を利用する入金処理を選択可能にしてもよい。これにより例えば、操作者は、大量入金することが分かっている場合等、収納操出部１５２がフル状態になる可能性が高いと判断した場合には、最初から、返却箱１５０を利用する入金処理を選択し実行することができる。
【００６１】
また、図９のフローチャートにおいて、Ｓ１０６において［割込回収］を選択し、回収処理を実行した（Ｓ１１１）が、棒金トレイ２４０がフル状態になったり包装部１６０がジャムを起こしたりして、回収処理が続行不可能になった場合に、改めて［入金取止］か［返却箱収納］を選択できるようにしてもよい。
【００６２】
また、上の実施形態では、操作表示部３０２を介して硬貨処理装置１１０の操作を行うものとしたが、これ以外にも例えば、硬貨処理装置１１０と通信可能になっている、タブレットやスマートフォン等の端末装置１１，１２を用いて、硬貨処理装置１１０の操作を行うようにしてもよい。
【００６３】
また、上の実施形態では、返却箱１５０を入金処理に利用するものとしたが、その他にも例えば、出金箱１９０等を入金処理に利用するようにしてもかまわない。すなわち、本開示では、ロック機構を有し、ロック状態のときは硬貨処理装置から外せず内容物を取り出し不可である一方、ロック解除状態のときは硬貨処理装置から外して内容物を取り出し可能であるロック付収納部を、入金処理に利用するものとする。
【００６４】
また、本開示において、入金処理は、両替処理を含むものとする。すなわち、両替処理において硬貨を投入する場合において、返却箱等のようなロック付き収納部を利用して硬貨の入金を行ってもよい。
【符号の説明】
【００６５】
１１，１２  端末装置
１００  硬貨処理システム
１１０  硬貨処理装置
１２０  硬貨受入処理部（投入部）
１５０  返却箱（ロック付収納部）
１５２  収納操出部（金種別収納部）
３００  制御部
【図１】
2018055214.tif 000003
【図２】
2018055214.tif 000004
【図３】
2018055214.tif 000005
【図４】
2018055214.tif 000006
【図５】
2018055214.tif 000007
【図６】
2018055214.tif 000008
【図７】
2018055214.tif 000009
【図８】
2018055214.tif 000010
【図９】
2018055214.tif 000011
【図１０】
2018055214.tif 000012